(57)【要約】【課題】発熱部品の熱を効率良く放熱しながら、簡単かつ容易に、しかも能率よく組み立てする。【解決手段】電池パックは、複数の電池１を電池ホルダー２の定位置に配置してなる電池ブロック３と、この電池ブロック３の電池１に接続している発熱部品５と、発熱部品５を熱結合状態に固定している放熱板６と、この放熱板６と電池ブロック３とを内部に収納している外装ケース４とを備えている。外装ケース４は、表面に露出し、あるいは内面に積層してなる金属プレート８を有しており、この金属プレート８には放熱板６を熱結合状態に連結している。電池パックは、発熱部品５の発熱を放熱板６から金属プレート８に熱伝導して、外装ケース４から放熱している。【選択図】図４
2010146774.tif 000002
【特許請求の範囲】
【請求項１】
複数の電池(1)を電池ホルダー(2)の定位置に配置してなる電池ブロック(3)と、この電池ブロック(3)の電池(1)に接続している発熱部品(5)と、発熱部品(5)を熱結合状態に固定している放熱板(6)と、この放熱板(6)と前記電池ブロック(3)とを内部に収納している外装ケース(4)とを備え、
前記外装ケース(4)が表面に露出し、あるいは内面に積層してなる金属プレート(8)を有し、この金属プレート(8)には前記放熱板(6)を熱結合状態に連結しており、前記発熱部品(5)の発熱を前記放熱板(6)から金属プレート(8)に熱伝導して、前記外装ケース(4)から放熱するようにしてなる電池パック。
【請求項２】
前記外装ケース(4)が、プラスチック製の外ケース(4X)の内面に金属プレート(8)を積層状態に密着してなる積層ケース(10)で、この積層ケース(10)の金属プレート(8)に前記放熱板(6)を熱結合状態に連結している請求項１に記載される電池パック。
【請求項３】
前記電池ブロック(3)の電池(1)に接続され、かつ外装ケース(4)に収納してなる回路基板(14)を備え、前記放熱板(6)がこの回路基板(14)を介して前記金属プレート(8)に熱結合状態に連結されてなる請求項１に記載される電池パック。
【請求項４】
前記電池(1)は円筒形電池(1A)で、前記電池ブロック(3)は、各々の電池(1)に接続してなる保護回路を実現するサブ回路基板(11)を備えており、前記電池ホルダー(2)は絶縁性のプラスチック製で、円筒形電池(1A)の両端に分割できる第１ホルダーケース(2A)と第２ホルダーケース(2B)からなり、第１ホルダーケース(2A)と第２ホルダーケース(2B)とは、円筒形電池(1A)を挿入して互いに連結される状態で、前記サブ回路基板(11)を保持するガイドリブ(22)を一体的に成形して設けており、このガイドリブ(22)にサブ回路基板(11)を挿入して定位置に配置してなる請求項１に記載される電池パック。
【請求項５】
前記ガイドリブ(22)にサブ回路基板(11)を保持する弾性係止片(24)を設けており、前記サブ回路基板(11)には弾性係止片(24)を係止する係止凹部(11A)を設けており、この弾性係止片(24)を係止凹部(11A)に係止して、前記ガイドリブ(22)に挿入されたサブ回路基板(11)を定位置に保持してなる請求項４に記載される電池パック。
【請求項６】
前記外装ケース(4)が、四角形の表面プレート(4a)の周囲に周壁(4b)を設けた箱形に成形してなる第１ケース(4A)と第２ケース(4B)からなり、前記第１ケース(4A)の対向する周壁(4b)は、外側を凹部(43)として、内側に突出する取手(15)を有し、この取手(15)によって周壁(4b)から内側に突出する突出面(44)に沿って保持リブ(45)を一体的に成形して設けて、この保持リブ(45)と周壁(4b)との間にリード線(18)の配線スペース(46)を設けており、この配線スペース(46)にリード線(18)を配置してなる請求項１に記載される電池パック。
【請求項７】
前記外装ケース(4)の内面の定位置に配置してなる押しボタンパーツ(31)と、この押しボタンパーツ(31)を介してオンオフに切り換えられるスイッチ(32)とを備えており、前記押しボタンパーツ(31)は、外装ケース(4)に設けられた貫通孔(47)に出入り自在に案内されるボタン部(31A)と、このボタン部(31A)の両側に一端を連結してなる弾性アーム部(31B)と、この弾性アーム部(31B)の他端に連結してなる保持部(31C)とからなり、前記外装ケース(4)は押しボタンパーツ(31)の保持部(31C)を定位置に配置する連結リブ(48)を一体的に成形して、この連結リブ(48)でもって押しボタンパーツ(31)を定位置に配置しており、定位置に配置される押しボタンパーツ(31)のボタン部(31A)の内面にスイッチ(32)を配置して、スイッチ(32)がボタン部(31A)に押されてオンオフに切り換えられるようにしてなる請求項１に記載される電池パック。
【発明の詳細な説明】
【技術分野】
【０００１】
本発明は、充電できる複数の電池を電池ホルダーに収納してなる電池ブロックと、この電池ブロックの電池に接続してなる発熱部品とを外装ケースに収納してなる電池パックに関し、とくに、発熱部品を効率よく放熱できる電池パックに関する。
【背景技術】
【０００２】
電池パックは、多数の電池を直列に接続して出力電圧を高く、また並列に接続して出力電流を大きくできる。この電池パックは、ダイオード、トランジスタ、ＦＥＴなどの発熱部品を収納することから、これらの発熱部品を効率よく放熱することが大切である。発熱部品の異常な温度上昇が素子の故障の原因となるばかりでなく、正常な動作を保証できなくなるからである。
【０００３】
発熱部品を冷却するために、外装ケースの内部に金属シャーシーを設け、この金属シャーシーに発熱部品を固定してなる電池パックは開発されている。（特許文献１参照）
【特許文献１】特開２００７−１２３９４号公報
【発明の開示】
【発明が解決しようとする課題】
【０００４】
特許文献１に記載される電池パックは、図１と図２に示すように、二次電池９１と回路基板９２とをプラスチック製のインナーケース９３に収納してインナーパック９４とし、このインナーパック９４の外側を金属シャーシー９６でカバーし、この金属シャーシー９６に発熱部品を固定し、さらに金属シャーシー９６で補強されたインナーケース９３をプラスチック製のアウターケース９５に収納している。金属シャーシー９６の内側に、プラスチック製のインナーケース９３を設けて、インナーケース９３で二次電池９１を絶縁、断熱し、さらに金属シャーシー９６の外側をプラスチック製のアウターケース９５でカバーして、金属シャーシー９６の外側をアウターケース９５で断熱している。
【０００５】
この構造の電池パックは、発熱部品を金属シャーシーに直接に固定するので、インナーケースの組み立てに手間がかかる欠点がある。それは、二次電池をインナーパックに収納する状態で、リード線を接続しているダイオードやＦＥＴなどの発熱部品を、インナーパックをカバーする金属シャーシーに固定しているからである。すなわち、発熱部品をインナーパックに一体構造に連結できないことから、金属シャーシーに固定している発熱部品をリード線を介してインナーパックに接続する必要があり、この配線に手間がかかる欠点がある。
【０００６】
本発明は、さらに以上の欠点を解決することを目的に開発されたものである。本発明の重要な目的は、発熱部品の熱を効率良く放熱しながら、簡単かつ容易に、しかも能率よく組み立てできる電池パックを提供することにある。
【課題を解決するための手段及び発明の効果】
【０００７】
本発明の電池パックは、複数の電池１を電池ホルダー２の定位置に配置してなる電池ブロック３と、この電池ブロック３の電池１に接続している発熱部品５と、発熱部品５を熱結合状態に固定している放熱板６と、この放熱板６と電池ブロック３とを内部に収納している外装ケース４とを備えている。外装ケース４は、表面に露出し、あるいは内面に積層してなる金属プレート８を有しており、この金属プレート８には放熱板６を熱結合状態に連結している。電池パックは、発熱部品５の発熱を放熱板６から金属プレート８に熱伝導して、外装ケース４から放熱している。
【０００８】
以上の電池パックは、発熱部品の熱を効率良く放熱しながら、簡単かつ容易に、しかも能率よく組み立てできる特徴がある。それは、以上の電池パックが、外装ケースに金属プレートを設け、この金属プレートに、発熱部品を固定している放熱板を熱結合状態に連結して、発熱部品の発熱を放熱板から金属プレートに熱伝導して、外装ケースから外部に放熱するようにしているからである。
【０００９】
本発明の電池パックは、外装ケース４が、プラスチック製の外ケース４Ｘの内面に金属プレート８を積層状態に密着してなる積層ケース１０として、この積層ケース１０の金属プレート８に放熱板６を熱結合状態に連結することができる。
以上の電池パックは、外装ケースの表面をプラスチック製とするので、表面を絶縁しながら、内面に積層している金属プレートと表面の外ケースとを介して発熱部品の熱を効率よく放熱できる。
【００１０】
本発明の電池パックは、電池ブロック３の電池１に接続され、かつ外装ケース４に収納してなる回路基板１４を備えて、放熱板６を、この回路基板１４を介して金属プレート８に熱結合状態に連結することができる。
以上の電池パックは、回路基板を金属プレートに熱結合状態に連結しているので、回路基板に実装される電子部品も効率よく冷却できる。
【００１１】
本発明の電池パックは、電池１を円筒形電池１Ａとして、電池ブロック３が、各々の電池１に接続してなる保護回路を実現するサブ回路基板１１を備えることができる。さらに、電池ホルダー２は絶縁性のプラスチック製として、円筒形電池１Ａの両端に分割できる第１ホルダーケース２Ａと第２ホルダーケース２Ｂとで構成し、第１ホルダーケース２Ａと第２ホルダーケース２Ｂは、円筒形電池１Ａを挿入して互いに連結される状態で、サブ回路基板１１を保持するガイドリブ２２を一体的に成形して設けて、このガイドリブ２２にサブ回路基板１１を挿入して定位置に配置することができる。
以上の電池パックは、ネジなどを使用することなく、サブ回路基板を簡単に定位置に配置して能率よく組み立てできる。また、サブ回路基板を電池ホルダーの定位置に配置できる。
【００１２】
本発明の電池パックは、ガイドリブ２２にサブ回路基板１１を保持する弾性係止片２４を設けて、この弾性係止片２４でもって、ガイドリブ２２に挿入されたサブ回路基板１４１１を定位置に保持することができる。
この電池パックは、サブ回路基板を電池ホルダーの定位置に簡単にセットしながら、セットされたサブ回路基板を定位置に外れないように保持できる。
【００１３】
本発明の電池パックは、外装ケース４を、四角形の表面プレート４ａの周囲に周壁４ｂを設けた箱形に成形してなる第１ケース４Ａと第２ケース４Ｂで構成し、第１ケース４Ａの対向する周壁４ｂは、外側を凹部４３として、内側に突出する取手１５を設けることができる。さらに、電池パックは、この取手１５によって周壁４ｂから内側に突出する突出面４４に沿って保持リブ４５を一体的に成形して設けて、この保持リブ４５と周壁４ｂとの間にリード線１８の配線スペース４６を設けて、この配線スペース４６にリード線１８を配置することができる。
以上の電池パックは、外装ケースに特別なハンドルなどの取手を設けることなく、外装ケースに凹部を設けて取手とし、さらに、凹部によって内部に突出する部分を利用して、リード線を簡単に定位置に綺麗に配線できる。
【００１４】
本発明の電池パックは、外装ケース４の内面の定位置に配置してなる押しボタンパーツ３１と、この押しボタンパーツ３１を介してオンオフに切り換えられるスイッチ３２とを備えることができる。押しボタンパーツ３１は、外装ケース４に設けられた貫通孔４７に出入り自在に案内されるボタン部３１Ａと、このボタン部３１Ａの両側に一端を連結してなる弾性アーム部３１Ｂと、この弾性アーム部３１Ｂの他端に連結してなる保持部３１Ｃとで構成し、外装ケース４は押しボタンパーツ３１の保持部３１Ｃを定位置に配置する連結リブ４８を一体的に成形して、この連結リブ４８でもって押しボタンパーツ３１を定位置に配置し、さらに、定位置に配置される押しボタンパーツ３１のボタン部３１Ａの内面にスイッチ３２を配置して、スイッチ３２をボタン部３１Ａで押してオンオフに切り換えることができる。
以上の電池パックは、押しボタンパーツを外装ケースと別パーツとして製作するので、外装ケースと押しボタンパーツを高い歩留まりで多量生産でき、しかも外装ケースと押しボタンパーツの両方を好ましい材質と形状に製作できる。さらに、押しボタンパーツを簡単に定位置に配置して、スイッチを正確に操作できる特徴がある。
【発明を実施するための最良の形態】
【００１５】
以下、本発明の実施例を図面に基づいて説明する。ただし、以下に示す実施例は、本発明の技術思想を具体化するための電池パックを例示するものであって、本発明は電池パックを以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図３の斜視図と図４及び図５の分解斜視図に示す電池パックは、複数の電池を電池ホルダー２の定位置に配置してなる電池ブロック３と、この電池ブロック３の電池に接続している発熱部品５と、発熱部品５を熱結合状態に固定している放熱板６と、この放熱板６と電池ブロック３とを内部に収納している外装ケース４とを備える。
【００１８】
図の電池パックは、３組の電池ブロック３を平行に並べて収納している。各々の電池ブロック３は、図６と図７に示すように、電池ホルダー２に円筒形電池１Ａからなる二次電池１を収納している。電池ホルダー２は、図において電池１を垂直に立てる姿勢で収納している。この電池パックは、各々の電池１を、外装ケース４の上下面に対して垂直姿勢に収納している。３組の電池ブロック３は、並列又は直列に接続されて出力端子に接続される。各々の電池ブロックを並列に接続している電池パックは出力電流を大きくでき、また、電池ブロックを直列に接続している電池パックは出力電圧を高くできる。
【００１９】
図の電池ブロック３は、電池１をリチウムイオン電池の円筒形電池１Ａとして、電池ホルダー２に収納している。電池１をリチウムイオン電池とする電池パックは、容積と重量に対する出力を大きくできる。ただし、電池にはリチウムイオン電池に代わって、リチウムポリマー電池やニッケル水素電池も使用できる。したがって、本発明は、電池をリチウムイオン電池に特定しない。電池には、充電できる全ての電池を使用できる。また、図の電池パックは電池１を円筒形電池１Ａとするが、電池には角形電池も使用できる。
【００２０】
電池ホルダー２は絶縁性のプラスチック製で、円筒形電池１Ａを挿入して定位置に配置する円柱状の収納部２０を設けている。図の電池ホルダー２は、円筒形電池１Ａの両端に分割できる、図７おいて上下に分割できる第１ホルダーケース２Ａと第２ホルダーケース２Ｂからなる。第１ホルダーケース２Ａと第２ホルダーケース２Ｂとはプラスチックで別々に成形している。第１ホルダーケース２Ａと第２ホルダーケース２Ｂは、円筒形電池１Ａを挿入して互いに連結される。また、第１ホルダーケース２Ａと第２ホルダーケース２Ｂとは、互いに接触する対向面を嵌合構造（図示せず）として、互いに定位置に連結される。第１ホルダーケース２Ａと第２ホルダーケース２Ｂを連結する状態で、電池ホルダー２は収納部２０に円筒形電池１Ａを挿入して、円筒形電池１Ａを定位置に保持し、さらに収納する円筒形電池１Ａで第１ホルダーケース２Ａと第２ホルダーケース２Ｂとが定位置に連結される。
【００２１】
図の電池ブロック３は、電池ホルダー２でもって全ての電池１を平行な姿勢、図において垂直姿勢として、同一面に並べて配置している。電池ブロック３は、電池ホルダー２で定位置に配置している電池１の両端の電極に、リード板７をスポット溶接等の方法で連結して、電池１を並列と直列に接続している。リード板７は、電池ホルダー２に設けている円柱状の収納部２０の開口部にあって、収納部２０に配置している円筒形電池１Ａの端部電極に連結される。電池ホルダー２は、リード板７を嵌め込んで定位置に配置できるガイド凹部２１を成形して設けている。リード板７は、ガイド凹部２１に配置され、電池ホルダー２の収納部２０に挿入された電池１の端部電極にスポット溶接して接続される。電池ブロック３は、リード板７の形状と、電池ホルダー２に収納する電池１の方向とを調整して、並列と直列に接続する電池１の個数を最適な状態とする。電池１を直列に接続する個数で出力電圧を、並列に接続する個数で出力電流を調整できる。リード板７は、サブ回路基板１１に接続されるリード線１２を、ハンダ付けなどの方法で接続する接続端子７Ａを設けている。
【００２２】
各々の電池ブロック３は、電池ホルダー２の端部に、図６においては、電池ブロック３の左端面にサブ回路基板１１を配置している。サブ回路基板１１は、電池１の充放電をコントロールする保護回路を実現する電子部品（図示せず）を実装している。サブ回路基板１１は、リード線１２を介して各々の電池１の正負の電極に接続される。サブ回路基板１１に実装される保護回路は、各々の電池１の電圧を検出し、電池１の電圧を設定範囲に制御して、電池１の過充電や過放電を防止する。サブ回路基板１１は、コネクタ１３を介してリード線１２を接続しており、このリード線１２をリード板７に接続して、各々の電池１の端部電極に接続される。
【００２３】
さらに、第１ホルダーケース２Ａと第２ホルダーケース２Ｂとは、サブ回路基板１１を保持するガイドリブ２２をプラスチックで一体的に成形して設けている。図６と図７において上側に配置される第１ホルダーケース２Ａのガイドリブ２２は、下向きに開口するガイド溝を設け、下側に配置される第２ホルダーケース２Ｂのガイドリブ２２は上向きに開口するガイド溝２３を設けている。上下のガイド溝２３は互いに平行で、ここにサブ回路基板１１の上縁と下縁とを挿入して、サブ回路基板１１を電池ホルダー２の定位置に配置している。
【００２４】
さらに、電池ホルダー２は、図７の一部拡大図に示すように、ガイドリブ２２にサブ回路基板１１を保持する弾性係止片２４を一体的に成形して設けている。サブ回路基板１１は、弾性係止片２４を案内する位置に係止凹部１１Ａを設けている。弾性係止片２４は、ガイド溝２３に弾性的に突出するように設けられている。この構造の電池ホルダー２は、サブ回路基板１１をガイド溝２３に挿入すると、弾性係止片２４がサブ回路基板１１の係止凹部１１Ａに弾性的に突出して、サブ回路基板１１が抜けるのを阻止する。したがって、この電池ホルダー２は、サブ回路基板１１をガイドリブ２２に挿入することで、サブ回路基板１１を定位置に配置し、さらに、この位置から抜けないように配置できる。
【００２５】
電池パックは、ダイオード、ＦＥＴ、トランジスタ等の発熱部品５を備えている。これらの発熱部品５は、放熱して設定温度よりも低くすることで安定に動作する。発熱部品５は、図８に示すように、放熱板６に固定している。図の放熱板６は、断面形状をＬ字状として、水平面に発熱部品５を固定している。図の放熱板６は、６個の発熱部品５を横並びに固定している。発熱部品５は、絶縁性があって熱伝導に優れたマイカやプラスチック製の絶縁熱伝導シート（図示せず）を介して放熱板６の表面に熱結合状態で固定される。
【００２６】
放熱板６は、図８に示すように、金属プレート８に熱結合状態に連結している。金属プレート８は、端部を放熱板６の下面に沿う形状に折曲加工して、折曲部８Ａを放熱板６の下面に密着状態に固定して、熱結合状態に連結している。金属プレート８は、放熱板６に比較して十分に大きく、放熱板６から熱伝導される熱を効率よく放熱する。図４と図５の分解斜視図に示す電池パックは、金属プレート８を外装ケース４の内面に積層して、金属プレート８から外装ケース４に熱伝導して、外装ケース４の表面から放熱する。金属プレート８は、外装ケース４の表面プレート４ａの内面に密着する状態に積層されて、外装ケース４に熱結合状態に固定している。金属プレート８と外装ケース４とはネジ止めなどの方法で固定される。金属プレート８は、その上に絶縁シート９を介して電池ブロック３を配置している。
【００２７】
以上の電池パックは、発熱部品５の発熱を放熱板６から金属プレート８に熱伝導し、金属プレート８から外装ケース４に熱伝導して外装ケース４の表面から外部に放熱する。金属プレート８と外装ケース４は表面積が大きく、発熱部品５の熱は、広い面積から効率よく放熱される。
【００２８】
以上の外装ケース４は、プラスチック製の外ケース４Ｘの内面に金属プレート８を積層状態に密着してなる積層ケース１０とし、この積層ケース１０の金属プレート８に放熱板６を熱結合状態に連結している。この電池パックは、放熱板６から熱伝導される金属プレート８の熱を外ケース４Ｘに熱伝導して外部に放熱する。本発明の電池パックは、金属プレートを外装ケースの一部とし、これを外部に露出して金属プレートから直接に放熱することもできる。
【００２９】
図４と図５の分解斜視図に示す電池パックは、外装ケース４を第１ケース４Ａと第２ケース４Ｂに分割して製作している。第１ケース４Ａと第２ケース４Ｂは、四角形の表面プレート４ａの周囲に周壁４ｂを設けた箱形にプラスチックを成形して製作している。図４と図５において、下側に配置している第２ケース４Ｂの内面に金属プレート８を積層している。この外装ケース４は、第２ケース４Ｂの表面プレート４ａから放熱している。第１ケース４Ａと第２ケース４Ｂは、内部に電池ブロック３や回路基板１４を収納する状態で、互いに防水構造に連結される。防水構造に連結するために、第１ケース４Ａと第２ケース４Ｂの周壁４ｂは、開口縁に沿って、図９と図１０の断面図に示すように、一方に凸条４１を、他方に凸条４１を案内する縦溝４２を設けている。凸条４１を縦溝４２に挿入して、第１ケース４Ａと第２ケース４Ｂの周壁４ｂは、防水構造に連結される。
【００３０】
図３の電池パックは、コンピューターなどの標準ラックに収納できる外形として、両側に取手１５を、前面パネル１６に防水構造の押しボタンスイッチ３０を設けている。図３ないし図５は、構造を理解しやすくするために、現実の使用姿勢とは上下を反転して図示している。これらの図において、上側に配置される第１ケース４Ａの両側の周壁４ｂの一部に凹部４３を成形して取手１５としている。第１ケース４Ａの周壁４ｂに設けている取手１５は、外側を凹部４３として、内側に突出している。第２ケース４Ｂは、図９の断面図に示すように、取手１５によって周壁４ｂから内側に突出する突出面４４に沿って保持リブ４５を一体的に成形して、保持リブ４５と周壁４ｂとの間にリード線１８の配線スペース４６を設けている。この配線スペース４６にリード線１８を配線して、リード線１８を定位置に配置できる。
【００３１】
前面パネル１６に設けている押しボタンスイッチ３０は、図１０と図１１に示すように、外装ケース４の内面の定位置に配置している押しボタンパーツ３１と、この押しボタンパーツ３１を介してオンオフに切り換えられるスイッチ３２とで実現される。押しボタンパーツ３１は外装ケース４に、スイッチ３２は内蔵される回路基板１９に固定される。押しボタンパーツ３１は全体を弾性変形できる硬質のプラスチックで一体的に成形している。この押しボタンパーツ３１は、外装ケース４に設けられた貫通孔４７に出入り自在に案内されるボタン部３１Ａと、このボタン部３１Ａの両側に一端を連結してなる弾性アーム部３１Ｂと、この弾性アーム部３１Ｂの他端に連結してなる保持部３１Ｃとからなる。
【００３２】
ボタン部３１Ａは、前面を閉塞する円筒状で、内部に中心には、スイッチ３２を押す突起部３１Ｄを一体的に成形して設けている。弾性アーム部３１Ｂは、逆Ｌ字状として上端をボタン部３１Ａの両側に連結して、下端を保持部３１Ｃに連結するに成形している。弾性アーム部３１Ｂは２列あって、ボタン部３１Ａの両側に平行な姿勢で配置している。さらに、弾性アーム部３１Ｂは薄肉部のある板状として、ボタン部３１Ａが押されて弾性変形できる形状としている。保持部３１Ｃは、両側に弾性アーム部３１Ｂを連結し、断面形状をＬ字状として、水平方向に突出する水平台３１Ｅには２列のガイドスリット３１Ｆを設けている。
【００３３】
以上の押しボタンパーツ３１を、ネジなど固定具を使用することなく嵌合構造で定位置に連結するために、外装ケース４は、押しボタンパーツ３１の保持部３１Ｃを定位置に配置する連結リブ４８を一体的に成形して設けている。連結リブ４８は、図１１において上下方向に、すなわち第２ケース４Ｂの表面プレート４ａの内面に垂直姿勢に伸びるように一体的に成形して設けられる。連結リブ４８は、断面形状をＴ字状として、押しボタンパーツ３１の水平台３１Ｅに設けたガイドスリット３１Ｆに案内する位置決め凸条４８Ａを上下に伸びるように設けている。さらに、この位置決め凸条４８Ａは、保持部３１Ｃの垂直面の背面に位置して、ボタン部３１Ａが押される後方に傾動するのを阻止する。この構造の押しボタンパーツ３１は、外装ケース４の周壁４ｂと連結リブ４８との間に挿入されて外装ケース４の定位置にセットされる。この状態で、ボタン部３１Ａは外装ケース４の周壁４ｂに設けた貫通孔４７に出入りできるように配置される。定位置に配置される押しボタンパーツ３１は、ボタン部３１Ａが内側に押されると、その内面に配置するスイッチ３２を押して、スイッチ３２をオンオフに切り換える。貫通孔４７は、前面パネル１６の表面に接着される防水シート１７で防水構造に閉塞される。防水シート１７は、自由に変形できるシートで、表面から押してボタン部３１Ａを押し込むことができる。したがって、防水シート１７を介してボタン部３１Ａを押して、スイッチ３２をオンオフに切り換えできる。
【００３４】
以上の電池パックは、発熱部品５を固定している放熱板６を直接に金属プレート８に固定して熱結合状態している。この電池パックは、放熱板６から金属プレート８に効率よく熱伝導して発熱部品５を冷却できる。ただし、本発明の電池パックは、図示しないが、放熱板を回路基板に熱結合状態に連結し、回路基板を金属プレートに熱結合状態に連結することもできる。この電池パックは、放熱板の熱を回路基板を介して金属プレートに伝導して発熱部品の熱を放熱する。
【図面の簡単な説明】
【００３５】
【図１】従来の電池パックの分解斜視図である。
【図２】図１に示す電池パックのインナーパックの分解斜視図である
【図３】本発明の一実施例にかかる電池パックの斜視図である。
【図４】図３に示す電池パックの分解斜視図である。
【図５】図３に示す電池パックの底面図である。
【図６】電池ブロックの斜視図である。
【図７】図６に示す電池ブロックの分解斜視図である。
【図８】放熱板と金属プレートの連結構造を示す拡大斜視図である。
【図９】図３に示す電池パックの要部拡大断面図である。
【図１０】図３に示す電池パックの前面パネルの拡大断面斜視図である。
【図１１】図１０に示す押しボタンスイッチの分解斜視図である。
【符号の説明】
【００３６】
１…電池                      １Ａ…円筒形電池
２…電池ホルダー              ２Ａ…第１ホルダーケース
２Ｂ…第２ホルダーケース
３…電池ブロック
４…外装ケース                ４Ａ…第１ケース
４Ｂ…第２ケース
４ａ…表面プレート
４ｂ…周壁
４Ｘ…外ケース
５…発熱部品
６…放熱板
７…リード板                  ７Ａ…接続端子
８…金属プレート              ８Ａ…折曲部
９…絶縁シート
１０…積層ケース
１１…サブ回路基板            １１Ａ…係止凹部
１２…リード線
１３…コネクタ
１４…回路基板
１５…取手
１６…前面パネル
１７…防水シート
１８…リード線
１９…回路基板
２０…収納部
２１…ガイド凹部
２２…ガイドリブ
２３…ガイド溝
２４…弾性係止片
３０…押しボタンスイッチ
３１…押しボタンパーツ        ３１Ａ…ボタン部
３１Ｂ…弾性アーム部
３１Ｃ…保持部
３１Ｄ…突起部
３１Ｅ…水平台
３１Ｆ…ガイドスリット
３２…スイッチ
４１…凸条
４２…縦溝
４３…凹部
４４…突出面
４５…保持リブ
４６…配線スペース
４７…貫通孔
４８…連結リブ                ４８Ａ…位置決め凸条
９１…二次電池
９２…回路基板
９３…インナーケース
９４…インナーパック
９５…アウターケース
９６…金属シャーシ
【図１】
2010146774.tif 000003
【図２】
2010146774.tif 000004
【図３】
2010146774.tif 000005
【図４】
2010146774.tif 000006
【図５】
2010146774.tif 000007
【図６】
2010146774.tif 000008
【図７】
2010146774.tif 000009
【図８】
2010146774.tif 000010
【図９】
2010146774.tif 000011
【図１０】
2010146774.tif 000012
【図１１】
2010146774.tif 000013